(57)【要約】【課題】ＶＣＰマイコン等の制御手段の機能を変更させずに、パネルスイッチ部を共通化してパネルスイッチの数を減らした映像再生装置を提供する。【解決手段】映像再生装置において、サブマイコン１２は、ＡＤ変換部１２ａと、パネルスイッチ部２より操作信号を受信した場合に、モード設定スイッチ３の選択に基づいてモード判定を行うモード判定部１２ｂと、ＢＤを再生するモードと判定される場合には、ＢＤの動作を開始する再生制御部１２ｃと、ＶＣＰを再生するモードと判定される場合には、ＡＤ変換部１２ａで変換されたデジタル信号をアナログ信号に変換してＶＣＰマイコン１１に送信するＤＡ変換部１２ｄとを備える。ＶＣＰマイコン１１は、ＤＡ変換部１２ｄから送信されたアナログ信号をデジタル信号に変更するＡＤ変換部１１ａと、当該デジタル信号に基づいてＶＣＰの動作を開始する再生制御部１１ｂとを備える。【選択図】図２
2012033220.tif 000002
【特許請求の範囲】
【請求項１】
第１記録媒体に対して映像の再生を行う第１映像再生装置と、第２記録媒体に対して映像の再生を行う第２映像再生装置とが一体化された映像再生装置において、
前記映像再生装置は、
前記第１映像再生装置及び第２映像再生装置に対する指示操作を行うためのパネルスイッチ部と、
前記第１記録媒体若しくは第２記録媒体のいずれを再生するかのモード選択を行うためのモード選択手段と、
前記第１映像再生装置の動作を制御する第１制御手段と、
前記第２映像再生装置の動作を制御する第２制御手段と、を備え、
前記第１制御手段は、
前記パネルスイッチ部から受信した操作信号であるアナログ信号をデジタル信号に変換するＡＤ変換手段と、
前記パネルスイッチ部より操作信号を受信した場合に、前記モード選択手段を用いた選択に基づいてモード判定を行うモード判定手段と、
前記ＡＤ変換手段で変換されたデジタル信号の形式の操作信号をアナログ信号の形式の操作信号に変換して前記第２制御手段に送信するＤＡ変換手段と、を備え、
前記モード判定手段において前記第１記録媒体を再生するモードと判定される場合には、前記ＡＤ変換手段による変換後の操作信号に基づいて、前記第１映像再生装置の動作を開始し、
前記モード判定手段において前記第２記録媒体を再生するモードと判定される場合には、前記ＤＡ変換手段からアナログ形式の操作信号を前記第２制御手段に送信し、
前記第２制御手段は、
前記ＤＡ変換手段から送信されたアナログ信号の形式の操作信号をデジタル信号の形式の操作信号に変換する第２ＡＤ変換手段を備え、
前記第２ＡＤ変換手段で変換されたデジタル信号の形式の操作信号に基づいて、前記第２映像再生装置の動作を開始することを特徴とする映像再生装置。
【請求項２】
前記第１記録媒体はＢＤ（Blu-ray Disc）であり、前記第２記録媒体はＶＣＰ（Video Cassette Player）であることを特徴とする請求項１記載の映像再生装置。
【発明の詳細な説明】
【技術分野】
【０００１】
本発明は、ＢＤ（Blu-ray Disc）及びＶＣＰ（Video Cassette Player）を用いて映像の再生を行う映像再生装置に関する。
【背景技術】
【０００２】
従来から、例えばＢＤ再生機能とＶＣＰ再生機能といった２種類の映像再生機能を備える映像再生装置が知られている。図４（ａ）は、この映像再生装置４０の正面図を示しており、ＶＣＰ用カセット挿入口４１の右にはＶＣＰ用のパネルスイッチ４１ａ、ＢＤ用ディスク挿入口４２の右にはＢＤ用のパネルスイッチ４２ａが設けられている。
【０００３】
そして、映像再生装置４０は、図４（ｂ）に示すように、ＶＣＰ側再生装置のパネルスイッチ４１ａに接続されるＶＣＰマイコン４３、及びＢＤ再生装置のパネルスイッチ４２ａに接続されるサブマイコン４４を備える。ＶＣＰマイコン４３及びサブマイコン４４は、それぞれパネルスイッチ４１ａ及び４２ａからユーザに操作されたスイッチに応じた操作信号を受け、ＢＤ若しくはＶＣＰの再生や録画動作を制御する。
【０００４】
ところで、サブマイコンによりメインマイコン及び周辺装置への電力供給の制御を行う電子機器において、サブマイコンによる電源制御方法を変更した電子機器が知られている（例えば、特許文献１参照）。また、ＶＣＲ（Video Cassette Recorder）マイコンに接続されているか否かに拘わらず、同一のサブマイコンを利用してメインマイコンから受信された設定情報に基づいてＶＣＲ記録部の設定を行う映像記録装置も開示されている（例えば、特許文献２参照）。
【先行技術文献】
【特許文献】
【０００５】
【特許文献１】特開２００７−４１８５０号公報
【特許文献２】特開２００８−２７０９９１号公報
【発明の概要】
【発明が解決しようとする課題】
【０００６】
しかしながら、上述のような複数種類の記録媒体の再生機能を有する映像再生装置では、図４に示すように、通常ＢＤ側とＶＣＰ側には独立したパネルスイッチ４１ａ及び４２ａが設けられ、各々のパネルスイッチ４１ａ及び４２ａからユーザが押下したボタンに対応する操作信号を受信して動作する構成となっている。このように、従来の複数種類の記録媒体の再生機能を有する映像再生装置では、記録媒体の種類に応じてそれぞれ専用のパネルスイッチを設ける必要があり、パネルスイッチの数が多くなるという問題がある。
【０００７】
本発明は、上記課題に鑑みてなされたものであり、複数種類の記録媒体の映像再生機能を有する映像再生装置において、従来から使用しているＶＣＰマイコン等の制御手段の機能を変更させずに、パネルスイッチ部を共通化してパネルスイッチの数を減らした映像再生装置を提供することを目的とする。
【課題を解決するための手段】
【０００８】
上記目的を達成するために請求項１の発明は、第１記録媒体に対して映像の再生を行う第１映像再生装置と、第２記録媒体に対して映像の再生を行う第２映像再生装置とが一体化された映像再生装置において、前記映像再生装置は、前記第１映像再生装置及び第２映像再生装置に対する指示操作を行うためのパネルスイッチ部と、前記第１記録媒体若しくは第２記録媒体のいずれを再生するかのモード選択を行うためのモード選択手段と、前記第１映像再生装置の動作を制御する第１制御手段と、前記第２映像再生装置の動作を制御する第２制御手段と、を備え、前記第１制御手段は、前記パネルスイッチ部から受信した操作信号であるアナログ信号をデジタル信号に変換するＡＤ変換手段と、前記パネルスイッチ部より操作信号を受信した場合に、前記モード選択手段を用いた選択に基づいてモード判定を行うモード判定手段と、前記ＡＤ変換手段で変換されたデジタル信号の形式の操作信号をアナログ信号の形式の操作信号に変換して前記第２制御手段に送信するＤＡ変換手段と、を備え、前記モード判定手段において前記第１記録媒体を再生するモードと判定される場合には、前記ＡＤ変換手段による変換後の操作信号に基づいて、前記第１映像再生装置の動作を開始し、前記モード判定手段において前記第２記録媒体を再生するモードと判定される場合には、前記ＤＡ変換手段からアナログ形式の操作信号を前記第２制御手段に送信し、前記第２制御手段は、前記ＤＡ変換手段から送信されたアナログ信号の形式の操作信号をデジタル信号の形式の操作信号に変換する第２ＡＤ変換手段を備え、前記第２ＡＤ変換手段で変換されたデジタル信号の形式の操作信号に基づいて、前記第２映像再生装置の動作を開始することを特徴とする。
【０００９】
この映像再生装置において、前記第１記録媒体はＢＤ（Blu-ray Disc）であり、前記第２記録媒体はＶＣＰ（Video Cassette Player）であることが好ましい。
【発明の効果】
【００１０】
本発明に係る映像再生装置によれば、サブマイコンは、パネルスイッチ部から操作信号を受信した場合、第１記録媒体と第２記録媒体の何れを再生するモードかを判定する。そして、第１記録媒体を再生するモードと判定される場合には第１映像再生装置の動作を開始する。また、第２記録媒体を再生するモードと判定される場合は、第２制御手段にアナログ信号の形式の再生信号を送信する。この構成により、本発明に係る映像再生装置では、従来から使用しているＶＣＰマイコン等の第２制御手段の機能を変更することなく、パネルスイッチ部を共通化してパネルスイッチの数を減らすことができる。
【図面の簡単な説明】
【００１１】
【図１】（ａ）本発明の実施形態に係る映像再生装置の正面図、（ｂ）同映像再生装置のパネルスイッチ及びマイコンの構成図。
【図２】同映像再生装置におけるＶＣＰマイコン及びサブマイコンの機能ブロック図。
【図３】同映像再生装置の動作手順を示すフローチャート。
【図４】（ａ）従来の映像再生装置の正面図、（ｂ）同映像再生装置のパネルスイッチ及びマイコンの構成図。
【発明を実施するための形態】
【００１２】
本発明の実施形態に係る映像再生装置について図１乃至図３を参照して説明する。
【００１３】
図１に示すように、映像再生装置１は、ＢＤ（Blu-ray Disc）やＶＣＰ（Video Cassette Player）に記録された映像を再生することができる機器であり、再生した映像信号や音声信号は例えばＨＤＭＩ（High Definition Multimedia Interface）ケーブル７を介してＴＶ受像機８に出力される。映像再生装置１及びＴＶ受像機８は、ＨＤＭＩ規格におけるＣＥＣ（Consumer Electronic Control；ＨＤＭＩで規格化されている機器間相互制御を行う機能）に対応した機器である。このＴＶ受像機８は、ディスプレイ９にＢＤやＶＣＰに記録された映像を表示し、音声をスピーカ１０から出力する。
【００１４】
映像再生装置１の正面には、パネルスイッチ部２、モード設定スイッチ３（モード選択手段）、電源ボタン４、ＢＤ挿入口５及びＶＣＰ挿入口６が設けられている。パネルスイッチ部２は、ユーザがＢＤ若しくはＶＣＰを再生、録画、停止、一時停止、早送り、巻き戻し等するときに押下する操作スイッチから構成され、パネルスイッチ部２は映像再生装置１の正面側の一箇所にのみに設けられている。
【００１５】
モード設定スイッチ３は、映像再生装置１のユーザが例えば左右いずれかに設定することでＶＣＰ／ＢＤモードを手動で選択するためのボタン部である。なお、モード設定スイッチ３は、ボタン部とする以外にリモコンにおいて設定することが可能である。
【００１６】
電源ボタン４は、電源をＯＮ／ＯＦＦするために使用される。ＢＤ挿入口５は、ユーザがＢＤをディスクドライブに挿入するために設けられた開口部であり、ＶＣＰ挿入口６は、ユーザがＶＣＰをドライブに挿入するために設けられた開口部である。
【００１７】
パネルスイッチ部２の各スイッチは、図１（ｂ）に示すように、ＢＤ再生制御を行うサブマイコン（第１制御手段）１２に接続され、サブマイコン１２はＶＣＰ再生制御を行うＶＣＰマイコン（第２制御手段）１１に接続されている。
【００１８】
次に、本実施形態に係る映像再生装置１の機能構成に関して説明する。ＢＤ用マイコンであるサブマイコン１２は、ＣＰＵ、メモリや通信インターフェイス等を含みＢＤ再生の全体動作を制御するマイクロコンピュータであり、本実施形態においてはＡＤ変換部１２ａ、モード判定部１２ｂ、再生制御部１２ｃ、及びＤＡ変換部１２ｄを備えている。
【００１９】
ＡＤ変換部１２ａは、映像再生装置１に設けられたパネルスイッチ部２内の各スイッチから各操作に応じたアナログ波形の電圧を受信してデジタル信号に変換する処理を行う。ＡＤ変換部１２ａは、このデジタル信号をモード判定部１２ｂ側に送信する。
【００２０】
モード判定部１２ｂは、映像再生装置１に設けられたモード設定スイッチ３がＢＤ／ＶＣＰ再生モードの何れに設定されているかを例えば電気回路のオンオフ状態で判定する。モード判定部１２ｂは、ＢＤモードと判定する場合には、ＡＤ変換部１２ａからのデジタル信号の形式の操作信号を再生制御部１２ｃに送信する。一方、モード判定部１２ｂは、ＶＣＰモードと判定する場合には、ＡＤ変換部１２ａから受信したデジタル信号の形式の操作信号をＤＡ変換部１２ｄに送信する。
【００２１】
再生制御部１２ｃは、モード判定部１２ｂを介してＡＤ変換部１２ａから受信したデジタル信号に基づいてユーザが押下した操作スイッチを判定し、映像再生装置１の制御を開始する。例えば、再生制御部１２ｃは、再生スイッチが押下された場合には、通信線を介して接続されるディスクドライブを動作させて光ピックアップから光ディスク側にレーザー光を送信し、反射光から映像や音声を電気信号として取得する。そして、再生制御部１２ｃは、電気信号に基づき映像信号出力処理を行い接続されたディスプレイ９への表示処理を行うことで光ディスクの再生制御を行う。
【００２２】
ＤＡ変換部１２ｄは、モード判定部１２ｂからデジタル信号の形式の操作信号を受信した場合、デジタル信号に対応したアナログ信号の形式の操作信号に再変換し、このアナログ信号をＶＣＰマイコン１１のＡＤ変換部１１ａに送信する。
【００２３】
ＶＣＰ再生に用いるＶＣＰマイコン１１は、従来の構成と変更はなく、ＣＰＵ、メモリ、Ｉ／Ｏ部等を含み、ＶＣＰ再生の全体動作を制御するマイクロコンピュータであり、本実施形態においてはＡＤ変換部１１ａ及び再生制御部１１ｂを備える。再生制御部１１ｂは、ＡＤ変換部１１ａから受信したデジタル値に基づいてＶＣＰの再生処理等を開始する。
【００２４】
このように、本実施形態に係る映像再生装置１では、パネルスイッチ部２からの入力信号はサブマイコン１２が全て受信し、モード判定部１２ｂにおいてＶＣＰを制御するＶＣＰモードと判定される場合は、サブマイコン１２のＤＡ変換部１２ｄから、ＶＣＰマイコン１１のスイッチ入力ポートであるＡＤ変換部１１ａへアナログ波形の操作信号が出力される。そして、ＶＣＰマイコン１１はこのアナログ信号の形式の操作信号を受信することで、ＶＣＰ再生モードにおいてパネルスイッチ部２内のスイッチが押されたと認識して動作を開始することが可能となる。
【００２５】
次に、本実施形態に係る映像再生装置１の動作を説明する。最初に、図３に示すように、サブマイコン１２のモード判定部１２ｂは、モード設定スイッチ３の設定に基づいてＢＤ再生モードかＶＣＰ再生モードかを判別する（Ｓ３１）。ここでＢＤ再生モードの場合には（Ｓ３１でＮｏ）、サブマイコン１２の再生制御部１２ｃはＡＤ変換部１２ａから受信したデジタル信号の形式の操作信号に基づいて押されたスイッチに応じたＢＤの処理を開始する（Ｓ３４）。
【００２６】
一方、ＶＣＰ再生モードの場合（Ｓ３１でＹｅｓ）、サブマイコン１２のＤＡ変換部１２ｄは、デジタル信号を再変換したアナログ信号の形式の操作信号をＶＣＰマイコン１１の入力ポートであるＡＤ変換部１１ａに出力する（Ｓ３２）。例えば、パネルスイッチ部２の再生スイッチが押され、モード設定スイッチ３がＶＣＰモードに設定されている場合、サブマイコン１２は、ＶＣＰマイコン１１側へＤＡ変換部１２ｄから従来のパネルスイッチを用いて再生スイッチが押された時と同じ電圧に対応するアナログ波形の操作信号を出力する。
【００２７】
次に、ＶＣＰマイコン１１のＡＤ変換部１１ａは、ＤＡ変換部１２ｄから送信されたアナログ信号を受信してデジタル信号の形式の操作信号に変換し、再生制御部１１ｂは、受信したデジタル信号に基づいて押されたスイッチに応じたＶＣＰの処理を開始する（Ｓ３３）。
【００２８】
以上の説明のように、本実施形態に係る映像再生装置１では、パネルスイッチ部２の数を減らすと共に、従来使用していたＶＣＰマイコン１１の機能を変更せずに１箇所のパネルスイッチ部２を用いてＶＣＰ側の再生動作を制御できるため、開発コストが抑えられる。
【００２９】
なお、本発明は、上記実施形態の構成に限られず、発明の趣旨を変更しない範囲で種々の変形が可能である。例えば、映像再生装置１の機能は、ＢＤやＶＣＰの再生に限定されるものではなく、ＤＶＤ(Digital Versatile Disc)、ＶＣＲ（Video Cassette Recorder）等にも適用可能である。また、サブマイコン１２をＢＤ用マイコンとして説明しているが、サブマイコンをＶＣＰ用マイコンとして使用し、ＶＣＰマイコン１１をＢＤ用マイコンに変更することも可能である。さらに、ＶＣＰマイコン１１とサブマイコン１２とを別個のプロセッサにする必要はなく、ＶＣＰマイコン１１とサブマイコン１２とを１つのプロセッサで構成しても良い。
【符号の説明】
【００３０】
１  映像再生装置
２  パネルスイッチ部
３  モード設定スイッチ
４  電源ボタン
５  ＢＤ挿入口
６  ＶＣＰ挿入口
１１  ＶＣＰマイコン（第２制御手段）
１１ａ，１２ａ  ＡＤ変換部
１１ｂ，１２ｃ  再生制御部
１２  サブマイコン（第１制御手段）
１２ｂ  モード判定部
１２ｄ  ＤＡ変換部
【図１】
2012033220.tif 000003
【図２】
2012033220.tif 000004
【図３】
2012033220.tif 000005
【図４】
2012033220.tif 000006